(57)【要約】【課題】各種電子機器に用いられるタッチパネルに関し、表示素子への貼り直しが容易なものを提供することを目的とする。【解決手段】下基板２下面に強粘着性接着層１６Ａと弱粘着性接着層１６Ｂを重ねて形成することによって、表示素子１０上面に一旦貼付したタッチパネルを剥がして貼り直しを行う際、表示素子１０から容易に剥離が行えると共に、表示素子１０上面に弱粘着性接着層１６Ｂが転写し付着することもないため、これを除去する手間も不要となり、容易に貼り直しが可能なタッチパネルを得ることができる。【選択図】図１
2008027329.tif 000002
【特許請求の範囲】
【請求項１】
下面に上導電層が形成された光透過性の上基板と、上面に上記上導電層と所定の間隙を空けて対向する下導電層が形成された光透過性の下基板からなり、上記下基板下面に強粘着性接着層と弱粘着性接着層を重ねて形成したタッチパネル。
【請求項２】
弱粘着性接着層を熱可塑性エラストマーで形成した請求項１記載のタッチパネル。
【発明の詳細な説明】
【技術分野】
【０００１】
本発明は、主に各種電子機器の操作に用いられるタッチパネルに関するものである。
【背景技術】
【０００２】
近年、携帯電話やカーナビ等の各種電子機器の高機能化や多様化が進むに伴い、液晶等の表示素子の前面に光透過性のタッチパネルを装着して、このタッチパネルを通して背面の表示素子に表示された文字や記号、絵柄等の視認や選択を行い、指や専用ペン等でタッチパネルを押圧操作することによって、機器の各機能の切換えを行うものが増えており、視認性に優れ操作の行い易いものが求められている。
【０００３】
このような従来のタッチパネルについて、図３及び図４を用いて説明する。
【０００４】
なお、構成を判り易くするために、図面は厚さ方向の寸法を拡大して表している。
【０００５】
図３は従来のタッチパネルの断面図であり、同図において、１はフィルム状で光透過性の上基板、２は同じく光透過性の下基板で、上基板１の下面には酸化インジウム錫等の光透過性の上導電層３が、下基板２の上面には同じく下導電層４が各々形成されている。
【０００６】
そして、下導電層４上面には絶縁樹脂によって、複数のドットスペーサ（図示せず）が所定間隔で形成されると共に、上導電層３の両端には一対の上電極（図示せず）が、下導電層４の両端には、上電極とは直交方向の一対の下電極（図示せず）が各々形成されている。
【０００７】
また、５は上基板１下面または下基板２上面の外周に形成された略額縁状のスペーサで、このスペーサ５の上面または下面に塗布形成された接着層（図示せず）によって、上基板１と下基板２の外周が貼り合わされ、上導電層３と下導電層４が所定の間隙を空けて対向している。
【０００８】
さらに、６はアクリルやシリコンゴム等の接着層で、この下基板２下面に形成された接着層６下面に、離型紙７が貼付されてタッチパネル９が構成されている。
【０００９】
そして、このように構成されたタッチパネル９が、離型紙７を剥がした後、図４の断面図に示すように、下面の接着層６によって液晶等の表示素子１０前面に貼付されると共に、一対の上電極と下電極が機器の電子回路（図示せず）に接続されて、電子機器に装着される。
【００１０】
以上の構成において、タッチパネル９背面の表示素子１０の表示を視認しながら、上基板１上面を指或いはペン等で押圧操作すると、上基板１が撓み、押圧された箇所の上導電層３が下導電層４に接触する。
【００１１】
そして、電子回路から上電極と下電極へ順次電圧が印加され、これらの電極間の電圧比によって、押圧された箇所を電子回路が検出し、機器の様々な機能の切換えが行われるように構成されている。
【００１２】
なお、このようなタッチパネル９を表示素子１０前面に貼付する際に、位置ずれ等の貼り間違いが生じ、一旦剥がして貼り直しを行おうとした時、下基板２下面の接着層６にアクリル等の強粘着性のものを用いた場合には、接着層６の接着力が強いため、接着層６が不規則に破断し、下基板２下面にも表示素子１０上面にも接着層６が残ってしまう。
【００１３】
このため、この表示素子１０上面に付着した接着層７を除去してから、再度別のタッチパネル９を表示素子１０に貼り直す必要があり、貼り直し作業に手間のかかるものであった。
【００１４】
また、接着層６にシリコンゴム等の弱粘着性のものを用いた場合には、接着層６の接着力が弱く、接着層６全体が下基板２下面か、表示素子１０上面かのどちらかに転写し付着してしまうため、表示素子１０上面に残った場合には、同様に貼り直しの際、これを除去する必要がある。
【００１５】
なお、この出願の発明に関連する先行技術文献情報としては、例えば、特許文献１が知られている。
【特許文献１】特開２００５−２７４６６７号公報
【発明の開示】
【発明が解決しようとする課題】
【００１６】
しかしながら、上記従来のタッチパネルにおいては、タッチパネル９を表示素子１０前面に貼付する際に、位置ずれ等の貼り間違いが生じ、一旦剥がして貼り直しを行おうとした場合、表示素子１０上面に付着した接着層６を除去する必要があるため、貼り直し作業が煩雑で時間を要するという課題があった。
【００１７】
本発明は、このような従来の課題を解決するものであり、表示素子への貼り直しが容易に行えるタッチパネルを提供することを目的とする。
【課題を解決するための手段】
【００１８】
上記目的を達成するために本発明は、以下の構成を有するものである。
【００１９】
本発明の請求項１に記載の発明は、下基板下面に強粘着性接着層と弱粘着性接着層を重ねて形成してタッチパネルを構成したものであり、表示素子上面に一旦貼付したタッチパネルを剥がして貼り直しを行う際、弱粘着性接着層によって表示素子から容易に剥離が行えると共に、弱粘着性接着層が強粘着性接着層に接着された状態で剥離が行われ、表示素子上面に弱粘着性接着層が転写し付着することもないため、これを除去する手間も不要となり、容易に貼り直しが可能なタッチパネルを得ることができるという作用を有する。
【００２０】
請求項２に記載の発明は、請求項１記載の発明において、弱粘着性接着層を熱可塑性エラストマーで形成したものであり、シリコンゴムやウレタンゴム等の単独の材料で弱粘着性接着層を形成したものに比べ、材料の混合比によって弱粘着性接着層の接着力の調整を容易に行うことができるという作用を有する。
【発明の効果】
【００２１】
以上のように本発明によれば、容易に貼り直しが可能なタッチパネルを実現することができるという有利な効果が得られる。
【発明を実施するための最良の形態】
【００２２】
以下、本発明の実施の形態について、図１及び図２を用いて説明する。
【００２３】
なお、構成を判り易くするために、図面は厚さ方向の寸法を拡大して表している。
【００２４】
また、背景技術の項で説明した構成と同一構成の部分には同一符号を付して、詳細な説明を簡略化する。
【００２５】
（実施の形態）
図１は本発明の一実施の形態によるタッチパネルの断面図であり、同図において、１はポリエチレンテレフタレートやポリカーボネート、ポリエーテルサルホン等のフィルム状で光透過性の上基板、２はガラスまたはアクリル、ポリカーボネート等の光透過性の下基板で、上基板１の下面には酸化インジウム錫や酸化錫等の光透過性の上導電層３が、下基板２の上面には同じく下導電層４がスパッタ法等によって各々形成されている。
【００２６】
そして、下導電層４上面にはエポキシやシリコン等の絶縁樹脂によって、複数のドットスペーサ（図示せず）が所定間隔で形成されると共に、上導電層３の両端には銀やカーボン等の一対の上電極（図示せず）が、下導電層４の両端には、上電極とは直交方向の一対の下電極（図示せず）が各々形成されている。
【００２７】
また、５は略額縁状でエポキシやポリエステル等のスペーサで、上基板１下面または下基板２上面の外周に形成され、このスペーサ５の上面または下面に塗布形成されたアクリルゴムやゴム等の接着層（図示せず）によって、上基板１と下基板２の外周が貼り合わされ、上導電層３と下導電層４が所定の間隙を空けて対向している。
【００２８】
さらに、１６Ａはアクリル等の対ガラス粘着力が０．１〜２０Ｎ／ｃｍの強粘着性接着層、１６Ｂはオレフィン系やスチレン系等の対ガラス粘着力が０．０１〜０．５Ｎ／ｃｍの弱粘着性接着層で、この強粘着性接着層１６Ａと弱粘着性接着層１６Ｂが下基板２下面に重ねて形成されている。
【００２９】
また、この下面には紙やフィルム等の離型紙７が貼付され、離型紙７が弱粘着性接着層１６Ｂ下面を覆って、タッチパネル１９が構成されている。
【００３０】
なお、上記のような強粘着性接着層１６Ａや弱粘着性接着層１６Ｂは、上面に下導電層４や下電極が形成された下基板２の下面に、スクリーン印刷等によって先ず強粘着性接着層１６Ａを塗布してから乾燥し、この上に弱粘着性接着層１６Ｂを同様に重ねて形成することで、比較的容易に製作することができる。
【００３１】
そして、このように構成されたタッチパネル１９が、離型紙７を剥がした後、図２の断面図に示すように、下面の弱粘着性接着層１６Ｂによって液晶等の表示素子１０前面に貼付されると共に、一対の上電極と下電極が機器の電子回路（図示せず）に接続されて、電子機器に装着される。
【００３２】
以上の構成において、タッチパネル１９背面の表示素子１０の表示を視認しながら、上基板１上面を指或いはペン等で押圧操作すると、上基板１が撓み、押圧された箇所の上導電層３が下導電層４に接触する。
【００３３】
そして、電子回路から上電極と下電極へ順次電圧が印加され、これらの電極間の電圧比によって、押圧された箇所を電子回路が検出し、機器の様々な機能の切換えが行われるように構成されている。
【００３４】
また、この時、タッチパネル１９は、下基板２下面に強粘着性接着層１６Ａと重ねて形成された弱粘着性接着層１６Ｂによって表示素子１０前面に貼付されているため、タッチパネル１９を表示素子１０に貼付する際に、位置ずれ等の貼り間違いが生じ、一旦剥がして貼り直しを行う場合にも、貼り直しが容易に行えるようになっている。
【００３５】
つまり、タッチパネル１９を表示素子１０から剥がす際、表示素子１０との接着は接着力の弱い弱粘着性接着層１６Ｂで行われているため、軽い力で表示素子１０からタッチパネル１９を容易に剥離することができる。
【００３６】
そして、この弱粘着性接着層１６Ｂは接着力の強い強粘着性接着層１６Ａに接着されているため、タッチパネル１９を剥がす際には、弱粘着性接着層１６Ｂ全体が強粘着性接着層１６Ａに接着された状態で剥離が行われ、表示素子１０上面に弱粘着性接着層１６Ｂが転写し付着することがないため、これを除去する手間も生じないようになっている。
【００３７】
さらに、弱粘着性接着層１６Ｂがオレフィン系やスチレン系等の熱可塑性エラストマーで形成されているため、材料の混合比によって弱粘着性接着層１６Ｂの接着力の調整を容易に行うことができるようになっている。
【００３８】
つまり、弱粘着性接着層にシリコンゴムやウレタンゴム等の単独の材料を使用しても、本発明の実施は可能であるが、熱可塑性エラストマーの場合、例えば、オレフィン系はエチレン−プロピレンとポリエチレン・ポリプロピレン、スチレン系はポリブタジエンとポリスチレン、ウレタン系はポリエステル・ポリエーテルとポリウレタン、エステル系はポリエーテル・ポリエステルとポリエステル、ポリ塩化ピニル系は非結晶と結晶性のポリ塩化ピニルというように、ソフトセグメントとハードセグメントが混合されている。
【００３９】
従って、弱粘着性接着層１６Ｂに熱可塑性エラストマーを用いた場合、これらの材料の混合比によって、接着力を比較的容易に変化させることができるため、強粘着性接着層１６Ａの接着力に応じて、弱粘着性接着層１６Ｂの接着力を調整し、所望の剥離力を得られるようになっている。
【００４０】
このように本実施の形態によれば、下基板２下面に強粘着性接着層１６Ａと弱粘着性接着層１６Ｂを重ねて形成することによって、表示素子１０上面に一旦貼付したタッチパネルを剥がして貼り直しを行う際、表示素子１０から容易に剥離が行えると共に、表示素子１０上面に弱粘着性接着層１６Ｂが転写し付着することもないため、これを除去する手間も不要となり、容易に貼り直しが可能なタッチパネルを得ることができるものである。
【００４１】
また、弱粘着性接着層１６Ｂを熱可塑性エラストマーで形成することによって、シリコンゴムやウレタンゴム等の単独の材料で弱粘着性接着層を形成したものに比べ、材料の混合比によって弱粘着性接着層１６Ｂの接着力の調整を容易に行うことができる。
【産業上の利用可能性】
【００４２】
本発明によるタッチパネルは、容易に表示素子への貼り直しが可能なものを提供することができるという有利な効果を有し、各種電子機器の操作用として有用である。
【図面の簡単な説明】
【００４３】
【図１】本発明の一実施の形態によるタッチパネルの断面図
【図２】同入力装置の断面図
【図３】従来のタッチパネルの断面図
【図４】同入力装置の断面図
【符号の説明】
【００４４】
１  上基板
２  下基板
３  上導電層
４  下導電層
５  スペーサ
７  離型紙
１０  表示素子
１６Ａ  強粘着性接着層
１６Ｂ  弱粘着性接着層
１９  タッチパネル
【図１】
2008027329.tif 000003
【図２】
2008027329.tif 000004
【図３】
2008027329.tif 000005
【図４】
2008027329.tif 000006